(57)【要約】【課題】  ＰＯＳ端末により計量機とデータ通信が簡単にでき、通信制御処理の構成が容易になり、かつ複数台のＰＯＳ端末の接続によりデータ共有ができ、故障した場合にもシステムを停止することなく復旧が可能になる給油システム提供する。【解決手段】  標準情報通信網機器で構成される販売データ管理を行うためのＰＯＳ端末１１と、給油所情報網機器で構成される計量機１３を含む複数台の給油所機器との間に機器間のデータ通信を可能にする通信変換装置２０が接続された給油所システムにおいて、通信変換装置２０は、標準情報通信網機器のアドレス、給油所情報網機器の端末アドレス及びアドレスと端末アドレスの対応を記録するテーブルと、テーブルを参照して標準情報通信網機器との間のデータ送受信を管理する標準情報通信網機器管理部２２と、テーブルを参照して給油所情報網機器との間のデータ送受信を管理する給油所情報通信網機器管理部２３とを備える。【選択図】      図１
2005073117.tif 000002
【特許請求の範囲】
【請求項１】
標準情報通信網機器で構成される販売データ管理を行うためのＰＯＳ端末と、給油所情報網機器で構成される計量機を含む複数台の給油所機器との間にそれぞれの機器間のデータ通信を可能にする通信変換装置が接続された給油所システムにおいて、
前記通信変換装置は、前記標準情報通信網機器のアドレス、前記給油所情報網機器の端末アドレス及びアドレスと端末アドレスの対応を記録するテーブルと、前記テーブルを参照して前記標準情報通信網機器との間のデータ送受信を管理する標準情報通信網機器管理部と、前記テーブルを参照して前記給油所情報網機器との間のデータ送受信を管理する給油所情報通信網機器管理部とを備えたことを特徴とする給油所システム。
【請求項２】
前記通信変換装置には、前記計量機の給油制御を行う計量機給油制御部がさらに設けられていることを特徴とする請求項１記載の給油所システム。
【請求項３】
前記通信変換装置には、前記計量機を除く給油所機器の制御を行う給油所機器制御部がさらに設けられていることを特徴とする請求項１記載の給油所システム。
【請求項４】
前記通信変換装置には、前記計量機及び給油所機器から送信されるデータを記憶するデータ記憶部がさらに設けられていることを特徴とする請求項１記載の給油所システム。
【発明の詳細な説明】
【技術分野】
【０００１】
本発明は、計量機を含む給油所機器とＰＯＳ端末やパーソナルコンピュータとの間でデータ通信を容易にする給油所システムに関するものである。
【背景技術】
【０００２】
従来、給油所には自動車に燃料油を供給する計量機とともに、給油設定等のデータ入力用の外設機、給油料金に対する釣銭を処理するための釣銭機、洗車機、あるいは地下タンクの残量を管理するための油面計等の給油所機器が設置されている。このような計量機を含む給油所機器は、販売データ管理を行うＰＯＳ端末に送受信可能に接続されている。本出願人は、計量機である給油装置及び洗車機にＰＯＳ端末が接続された給油所システムに関する技術を開示している（例えば、特許文献１を参照）。
【特許文献１】特開２００３−９５４００号公報（第１〜７ページ、第１及び２図）
【発明の開示】
【発明が解決しようとする課題】
【０００３】
従来の給油所システムにおいては、ＰＯＳ端末は、計量機や外設機、釣銭機、洗車機等の給油所機器とデータ送受信するために、給油所設備の業界におけるデータ通信網の規格であるサービスステーション用ＬＡＮ（ＳＳ−ＬＡＮ）で接続されている。一方、近年の給油所では、多数の計量機や給油所機器が配置されたり、コンビニエンスストアが併設された大規模給油所の出現に対し、給油データの送受信に加え、精算業務に関するデータの送受信が多くなり、ＰＯＳ端末の使用頻度が増加する傾向にある。しかし、従来のＳＳ−ＬＡＮでは、ＰＯＳ端末を主局、計量機等を従局とした通信であるため、ＰＯＳ端末を1台しか設けることができず、複数台のＰＯＳ端末が計量機等を制御することができなかった。そのため、1台のＰＯＳ端末が故障した場合等に復旧するまでシステムを停止する問題が生じることがあった。
【０００４】
また、一般的なＰＯＳ端末は、パーソナルコンピュータ技術をベースに作られており、標準情報通信網の伝送路に関する規格であるイーサネット（登録商標）によるＬＡＮで接続することが容易である。しかし、従来の給油所におけるＰＯＳ端末では、ＳＳ−ＬＡＮとなっているため、パーソナルコンピュータにおける標準のイーサネット（登録商標）通信処理とは異なる通信制御処理が必要になり、そのＳＳ−ＬＡＮ用の通信ボードを内蔵または外置きすることにより、計量機や給油所機器との間で通信を行っていた。
【０００５】
本発明は上記事情に鑑みなされたもので、標準情報通信網によるＰＯＳ端末により計量機や給油所機器とデータ通信が簡単にでき、通信制御処理の構成が容易になり、かつ複数台のＰＯＳ端末の接続によりデータ共有ができ、故障した場合にもシステムを停止することなく復旧が可能になる給油所システムを提供することを目的とする。
【課題を解決するための手段】
【０００６】
本発明は、標準情報通信網機器で構成される販売データ管理を行うためのＰＯＳ端末と、給油所情報網機器で構成される計量機を含む複数台の給油所機器との間にそれぞれの機器間のデータ通信を可能にする通信変換装置が接続された給油所システムにおいて、前記通信変換装置は、前記標準情報通信網機器のアドレス、前記給油所情報網機器の端末アドレス及びアドレスと端末アドレスの対応を記録するテーブルと、前記テーブルを参照して前記標準情報通信網機器との間のデータ送受信を管理する標準情報通信網機器管理部と、前記テーブルを参照して前記給油所情報網機器との間のデータ送受信を管理する給油所情報通信網機器管理部とを備えたことを特徴とするものである。通信制御装置により、標準情報通信網によるＰＯＳ端末により計量機や給油所機器とデータ通信が簡単にでき、通信制御処理の構成が容易になり、かつ複数台のＰＯＳ端末の接続によりデータ共有ができ、故障した場合にもシステムを停止することなく復旧が可能になる。
【０００７】
請求項２に記載の発明にあっては、前記通信変換装置には、前記計量機の給油制御を行う計量機給油制御部がさらに設けられていることを特徴とするものである。計量機給油制御部により計量機の給油管理ができる。
【０００８】
請求項３に記載の発明にあっては、前記通信変換装置には、前記計量機を除く給油所機器の制御を行う給油所機器制御部がさらに設けられていることを特徴とするものである。給油所機器制御部により給油所機器の制御をおこなうことができる。
【０００９】
請求項４に記載の発明にあっては、前記通信変換装置には、前記計量機及び給油所機器から送信されるデータを記憶するデータ記憶部がさらに設けられていることを特徴とするものである。データ記憶部によりデータの共有化が容易になる。
【発明の効果】
【００１０】
以上説明したように本発明の給油システムは、標準情報通信網機器で構成される販売データ管理を行うためのＰＯＳ端末と、給油所情報網機器で構成される計量機を含む複数台の給油所機器との間にそれぞれの機器間のデータ通信を可能にする通信変換装置が接続された給油所システムにおいて、通信変換装置は、標準情報通信網機器のＩＰアドレス、給油所情報網機器の端末アドレス及びＩＰアドレスと端末アドレスの対応を記録するテーブルと、テーブルを参照して標準情報通信網機器との間のデータ送受信を管理する標準情報通信網機器管理部と、テーブルを参照して給油所情報網機器との間のデータ送受信を管理する給油所情報通信網機器管理部とを備えたことで、標準情報通信網によるＰＯＳ端末により計量機や給油所機器とデータ通信が簡単にでき、通信制御処理の構成が容易になり、かつ複数台のＰＯＳ端末の接続によりデータ共有ができ、故障した場合にもシステムを停止することなく復旧が可能になる。
【発明を実施するための最良の形態】
【００１１】
以下、本発明を図示の一実施形態により具体的に説明する。図1〜図５は本発明実施形態の給油所システムを説明する図であり、図１は通信変換装置の構成を説明するブロック図、図２は給油所システムの全体構成を説明する図、図３は給油所情報通信網機器管理テーブルを説明する図、図４は給油所情報通信網機器管理テーブル／標準情報通信網機器管理テーブルを説明する図、図５は標準情報通信網機器管理テーブルを説明する図である。
【００１２】
本実施形態の給油所システム１０は、例えば、標準情報通信網の伝送路に関する規格であるイーサネット（登録商標）ＬＡＮによる機器（以下、標準情報通信網機器という）で構成される販売データ管理を行うための２台の第1〜第２のＰＯＳ端末１１、及びその他のデータ管理用のパーソナルコンピュータ１２と、計量機を含む給油所機器に対し業界で使用されている給油所情報通信網の伝送路に関する規格であるＳＳ−ＬＡＮによる機器（以下、給油所情報網機器という）で構成される４台の第１〜第４の計量機１３、２台の第１〜第２の外設機１４、２台の第１〜第２の釣銭機１５、及び２台の第１〜第２の油面計１６等との間に、それぞれの機器間のデータ通信を可能にする通信変換装置２０を設けたものである。
【００１３】
第1〜第２のＰＯＳ端末１１は、図２に示すように、販売データ管理を行うための機器であり、標準情報通信網を構成するライン１７（１及び２）を介して通信変換装置２０へ接続されている。同様にしてパーソナルコンピュータ１２は、販売データ以外に必要なデータ管理を行う機器であり、同様にライン１７（３）を介して通信変換装置２０へ接続されている。
【００１４】
第１〜第４の計量機１３は、図２に示すように、所定の油種の燃料油を計量して供給する給油所機器であり、それぞれ給油所情報通信網を構成するライン１８（１，１、１，２、１，３及び１，４）を介して通信変換装置２０へ接続されている。また、第１〜第２の外設機１４は、給油設定データあるいは給油量データのデータ入力用の機器であり、同様にしてそれぞれライン１８（２，１及び２，２）を介して通信変換装置２０へ接続されている。第１〜第２の釣銭機１５は、給油料金等に対する釣銭を処理するための機器であり、それぞれライン１８（３，１及び３，２）を介して通信変換装置２０へ接続されている。さらに、第１〜第２の油面計１６は、給油所の地下タンクに貯留されている燃料油の残量を管理するための機器であり、それぞれライン１８（４，１及び４，２）を介して通信変換装置２０へ接続されている。
【００１５】
通信変換装置２０は、図１に示すように、標準情報通信網入出力制御部２１と、標準情報通信網機器管理部２２と、給油所情報通信網機器管理部２３と、計量機給油制御部２４と、給油所機器制御部２５と、標準情報通信網機器管理テーブル２６と、標準情報通信網／給油所情報通信網対応テーブル２７と、給油所情報通信網機器管理テーブル２８と、データ記憶部２９と、給油所情報通信網入出力制御部３０等とから構成されている。
【００１６】
標準情報通信網入出力制御部２１は、第1〜第２のＰＯＳ端末１１及びパーソナルコンピュータ１２である標準情報通信網機器とライン１７を介してデータの入出力を制御する部分である。また、給油所情報通信網入出力制御部２９は、第１〜第４の計量機１３、第１〜第２の外設機１４、第１〜第２の釣銭機１５及び第１〜第２の油面計１６である給油所情報網機器とライン１７を介してデータの入出力を制御する部分である。
【００１７】
標準情報通信網機器管理テーブル２６は、図３に示すように、コネクションが確立されたときにそれぞれの標準情報網機器を識別するために割り振られているＩＰアドレスを記憶しているテーブルである。例えば、第１コネクションの第１のＰＯＳ端末１１は、ＩＰアドレスが、１．２．３．１、第２コネクションの第２のＰＯＳ端末１１は、ＩＰアドレスが１．２．３．２、第３コネクションのパーソナルコンピュータ１２は、ＩＰアドレスが１．２．３．３等である。
【００１８】
給油所情報通信網機器管理テーブル２８は、図５に示すように、給油所情報通信網機器が接続されているライン１８のそれぞれの機器を識別するために割り振られている端末アドレスを記憶しているテーブルである。例えば、ラインＮｏ．１に接続されている第１の計量機１３は、アドレスが１．１、第２の計量機１３は、アドレスが１．２、第３の計量機１３は、アドレスが１．３、第４の計量機１３は、アドレスが１．４、ラインＮｏ．２に接続されている第１の外設機１４は、アドレスが２．１、第２の外設機１４は、アドレスが２．２、ラインＮｏ．３に接続されている第１の釣銭機１５は、アドレスが３．１、第２の釣銭機１５は、アドレスが３．２、ラインＮｏ．４に接続されている第１の油面計１６は、アドレスが４．１、第２の油面計１６は、アドレスが４．２である。
【００１９】
標準情報通信網／給油所情報通信網対応テーブル２７は、図４に示すように、標準情報網機器側のＩＰアドレスと、給油所情報通信網機器側の端末アドレスとの間の対応関係を記憶するテーブルであり、例えば、標準情報通信網機器が電文を送信したとき、通信する給油所情報通信網機器のアドレスをこのテーブルに記録し、これに対して給油所情報通信網機器から受信した電文をテーブルに記録したアドレスを参照して標準情報通信網機器へ送信する。このテーブルにおいて、例えば、第１のＰＯＳ端末１１のＩＰアドレス１．２．３．１に対応する給油所情報通信網機器の端末アドレスは、第１〜第４の計量機１３の端末アドレスである１．１，１．２，１．３，１．４、第１〜第２の外設機１４の端末アドレスである２．１，２．２、第１〜第２の釣銭機１５の端末アドレスである３．１，３．２、及び第１〜第２の油面計１６の端末アドレスである４．１，４．２である。同様に，第２のＰＯＳ端末１１のＩＰアドレス１．２．３．２に対応する端末アドレスは、第１〜第４の計量機１３の端末アドレスである１．１，１．２，１．３，１．４、第１〜第２の外設機１４の端末アドレスである２．１，２．２、第１〜第２の釣銭機１５の端末アドレスである３．１，３．２、及び第１〜第２の油面計１６の端末アドレスである４．１，４．２である。また、パーソナルコンピュータ１２の端末アドレスである１．２．３．３に対応する端末アドレスは、第１〜第４の計量機１３の端末アドレスである１．１，１．２，１．３，１．４である。データ記憶部２９は、計量機１３、外設機１４及び釣銭機１４の給油データや売上データを記憶するとともに、給油所機器を管理するために予め設定されるデータを記憶する部分である。
【００２０】
計量機給油制御部２４は、第１〜第４の計量機１３と第１〜第２のＰＯＳ端末１１及びパーソナルコンピュータ１２との間でのデータあるいは信号の送受信を制御し、第１〜第４の計量機１３、第１〜第２のＰＯＳ端末１１及びパーソナルコンピュータ１２の状態判断を行い、第１〜第２のＰＯＳ端末１１からの信号の優先度を判断するとともに、第１及び第２のＰＯＳ端末１１間で行う通信を制御する部分である。給油所機器制御部２５は、計量機１３以外の給油所機器である外設機１４、釣銭機１５及び油面計１６と第１〜第２のＰＯＳ端末１１との間でのデータあるいは信号の送受信を制御し、第１〜第４の計量機１３、第１〜第２のＰＯＳ端末１１及びパーソナルコンピュータ１２の状態判断を行い、第１〜第２のＰＯＳ端末１１からの信号の優先度を判断するとともに、第１及び第２のＰＯＳ端末１１間で行う通信を制御する部分である。
【００２１】
標準情報通信網機器管理部２２は、標準情報通信網機器である第1〜第２のＰＯＳ端末１１及びパーソナルコンピュータ１２を管理する部分であり、標準情報通信網機器管理テーブル２６に記憶されているＩＰアドレスを参照するとともに必要によりデータ記憶部２９に記憶されているデータを参照し、標準情報通信網入出力制御部２１、計量機給油制御部２４あるいは給油所機器制御部２５を介して、または、直接に給油所情報通信網機器管理部２３との間でデータ送受信を行う部分である。給油所情報通信網機器管理部２３は、給油所情報網機器である第１〜第４の計量機１３、第１〜第２の外設機１４、第１〜第２の釣銭機１５、及び第１〜第２の油面計１６を管理する部分であり、給油所情報通信網機器管理テーブル２８に記憶されているアドレス、標準情報通信網／給油所情報通信網対応テーブル２７に記憶されているアドレスを参照して、給油所情報通信網入出力制御部３０、計量機給油制御部２４あるいは給油所機器制御部２５を介して、または、直接に標準情報通信網機器管理部２２との間でデータ送受信を行う部分である。
【００２２】
次に、上記構成の給油所システム１０の動作を具体的に説明する。図６及び図７は本実施形態の給油所システムの動作を説明する図であり、図６は計量機からＰＯＳ端末への電文送信を説明するフローチャート、図7はＰＯＳ端末から計量機への電文送信を説明するフローチャートである。
【００２３】
標準情報通信網機器であるＰＯＳ端末１１側から給油所情報網機器である計量機１３側へ電文を送信する場合には、図６に示すように、まず、ＰＯＳ端末１１が所定の電文を送信すると（ＳＴ１）、その電文が通信変換装置２０の標準情報通信網入出力制御部２１を介して、標準情報通信網機器管理部２２で受信される（ＳＴ２）。続いて、標準情報通信網機器管理部２２で受信された電文は、給油所情報通信網機器管理部２３へ送信される（ＳＴ３）。電文を受信した給油所情報通信網機器管理部２３は、その電文の送信先を給油所情報通信網機器管理テーブル２８に記憶されている給油所情報網機器側の端末アドレスを参照してどのライン１８に接続されているかを判断し、対応テーブル２７へアドレスを記録し、その電文を給油所情報通信網入出力制御部３０を介して送信先の端末アドレスへ送信する（ＳＴ４）。続いて、電文は送信先の端末アドレスのライン１８に接続された計量機１３で受信される（ＳＴ５）。
【００２４】
次に、給油所情報網機器である計量機１３側から標準情報通信網機器であるＰＯＳ端末１１側へ電文を送信する場合には、図７に示すように、まず、計量機１３が所定の電文を送信すると（ＳＴ１１）、その電文が通信変換装置２０の給油所情報通信網入出力制御部３０を介して、給油所情報通信網機器管理部２３で受信される（ＳＴ１２）。続いて、電文を受信した給油所情報通信網機器管理部２３は、どのライン１８の計量機１３からの電文であるかを判断し、対応テーブル２７を参照して標準情報通信網機器を見つけ、その標準情報通信網機器宛に送信するよう標準情報通信網機器管理部２２へ電文を送信する（ＳＴ１３）。次に、電文を受信した標準情報通信網機器管理部２２は、標準情報通信網機器管理テーブル２６を参照し、標準情報通信網機器のＰＯＳ端末１１のコネクションを見つけ、その電文を標準情報通信網入出力制御部２１を介して送信する（ＳＴ１４）。続いて、電文は送信先のコネクションに接続されたＰＯＳ端末１１で受信される（ＳＴ１５）。
【００２５】
上記の通り、ＰＯＳ端末１１と計量機１３との間の電文の送受信が行われるが、ＰＯＳ端末１１と他の給油所機器である外設機１４、釣銭機１５及び油面計１６についても同様にして送受信が行われる。また、計量機１３からの給油データ等に関する電文の場合には、給油所情報通信網機器管理部２３において、給油データに関する電文であると判断し、その電文が計量機給油制御部２４へ送信され、この計量機給油制御部２４において必要な制御信号が生成され、再び給油所情報通信網機器管理部２３から計量機１３等へ制御のための電文が送信される。また、計量機給油制御部２４において、給油終了後における給油料金の精算のために必要なデータの場合には、この計量機給油制御部２４から標準情報通信網機器管理部２２を介して対応するＰＯＳ端末１１へそのデータが送信される。また、給油データの集計結果等は、計量機給油制御部２４からデータ記憶部２９へデータが送信され記憶される。さらに、データ記憶部２９のデータが必要な場合には、ＰＯＳ端末１１あるいはパーソナルコンピュータ１２からの読出し要求の電文を通信変換部２０へ送信することで必要なデータを受信することができる。計量機１３を除く他の給油所機器である外設機１４、釣銭機１５及び油面計１６とＰＯＳ端末１１及びパーソナルコンピュータ１２との間の電文の送受信も上記の説明と同様に行われ、それらの給油所機器の制御が必要な場合には、給油所機器制御部２５を介して制御用の電文の送受信が行われ、同様に必要なデータがデータ記憶部２９に記憶される。
【００２６】
上記構成の給油所システム１０では、標準情報通信網機器であるイーサネット（登録商標）ＬＡＮによる機器で構成されるＰＯＳ端末１１やパーソナルコンピュータ１２と、給油所情報網機器であるＳＳ−ＬＡＮによる機器で構成される計量機を含む給油所機器との間に接続された通信変換装置２０により、それぞれの機器間のデータ通信が可能になるため、パーソナルコンピュータ技術をベースに作られた一般的なＰＯＳ端末を使用することが可能になり、従来のように、異なる通信制御処理のためにＳＳ−ＬＡＮ用の通信ボードを内蔵または外置きすることがなくなる。また、イーサネット（登録商標）ＬＡＮによる機器で構成されるＰＯＳ端末１１は、複数台接続することができ、１台のＰＯＳ端末１１が故障しても、システムを停止することなく他のＰＯＳ端末１１を使用することで復旧が容易になる。また、従来のＰＯＳ端末では、計量機や外設機等の制御用の機能を搭載する必要があったが、通信変換装置２０に計量機１３を制御するための計量機給油制御部２４、該設機１４、釣銭機１５および油面計１６等の他の給油所機器を制御するための給油所機器制御部２５を設けたために、ＰＯＳ端末１１の負担を軽減することができる。さらに、通信制御装置２０には、複数台のＰＯＳ端末１１やパーソナルコンピュータ１２、複数台の計量機１３を含む給油所機器を接続することができ、かつデータ記憶部２９が設けられていることで、例えば、給油データや売上データ等のデータ共有を簡単に行うことができる。したがって、本実施形態の給油所システム１０では、近年の給油所における多数の計量機や給油所機器が配置されたり、コンビニエンスストアが併設された大規模給油所に対応することができる。
【００２７】
なお、上記実施形態において、通信変換装置２０に接続されるＰＯＳ端末１１、パーソナルコンピュータ１２、計量機１３、該設機１４、釣銭機１５及び油面計１６の台数は、一例であり、任意の台数を接続することができる。また、計量機１３以外の給油所機器は、例えば、洗車機でもよく実施形態に限定されない。
【産業上の利用可能性】
【００２８】
本発明は、給油所におけるＰＯＳ端末と給油所機器との間のデータ送受信を行うための給油システムに適用できる。
【図面の簡単な説明】
【００２９】
【図１】本発明実施形態の通信変換装置の構成を説明するブロック図である。
【図２】本発明実施形態の給油所システムの全体構成を説明する図である。
【図３】本発明実施形態の給油所情報通信網機器管理テーブルを説明する図である。
【図４】本発明実施形態の給油所情報通信網機器管理テーブル／標準情報通信網機器管理テーブルを説明する図である。
【図５】本発明実施形態の標準情報通信網機器管理テーブルを説明する図である。
【図６】本発明実施形態の計量機からＰＯＳ端末への電文送信を説明するフローチャーである。
【図７】ＰＯＳ端末から計量機への電文送信を説明するフローチャートである。
【符号の説明】
【００３０】
１０  給油所システム
１１  ＰＯＳ端末
１２  パーソナルコンピュータ
１３  計量機
１４  外設機
１５  釣銭機
１６  油面計
１７  ライン
１８  ライン
２０  通信変換装置
２１  標準情報通信網入出力制御部
２２  標準情報通信網機器管理部
２３  給油所情報通信網機器管理部
２４  計量機給油制御部
２５  給油所機器制御部
２６  標準情報通信網機器管理テーブル
２７  標準情報通信網／給油所情報通信網対応テーブル
２８  給油所情報通信網機器管理テーブル
２９  データ記憶部
３０  給油所情報通信網入出力制御部
【図１】
2005073117.tif 000003
【図２】
2005073117.tif 000004
【図３】
2005073117.tif 000005
【図４】
2005073117.tif 000006
【図５】
2005073117.tif 000007
【図６】
2005073117.tif 000008
【図７】
2005073117.tif 000009